(57)【特許請求の範囲】
【請求項１】
少なくとも１つの手動部位を有し、標本の像を結像させる光学系を備える顕微鏡と、前記標本の像を撮像し、画像データとして記憶する撮像装置と、を備えた顕微鏡システムにおいて、
前記顕微鏡は、
前記顕微鏡で使用可能なユニットおよび該ユニットが有する部位のタイプを含む情報を記憶する記憶部と、
前記顕微鏡で使用される前記ユニット、および前記撮像装置で撮像された画像データの観察情報を入力する入力部と、
前記撮像装置が撮像した画像データを表示する表示部と、
前記入力部により使用する前記ユニットが入力された場合、電動部位またはセンサ機構を有するコード部位の位置情報を読み出して前記表示部に表示するとともに、前記手動部位の位置情報を入力可能な入力画面を前記表示部に表示させる制御部と、
を備え、
前記入力部により入力された前記画像データの観察情報は、前記画像データおよび／または前記撮像装置の撮像情報とともに記憶されることを特徴とする顕微鏡システム。
【請求項２】
前記制御部は、
記憶された前記画像データの観察情報を、前記画像データおよび／または前記撮像装置の撮像情報とともに前記表示部に表示させ、
前記表示部に表示された観察情報を再現する指示入力を受け付けた場合、前記コード部位の情報を読み出し、前記表示部に表示された観察条件と現在の前記顕微鏡の観察条件とを対比することを特徴とする請求項１に記載の顕微鏡システム。
【請求項３】
前記記憶部は、観察方法に対応した部位の位置を記憶することを特徴とする請求項１に記載の顕微鏡システム。
【発明の詳細な説明】
【技術分野】
【０００１】
本発明は、標本に照明光を照射して該標本からの光を結像した標本像を撮像する顕微鏡システムに関する。
【背景技術】
【０００２】
従来、顕微鏡で観察する標本を撮像する際には、顕微鏡の各種部位の位置等の観察条件や撮像装置の撮影条件等を設定して行う。観察条件や撮影条件は、標本や観察者により異なるため、観察者は観察条件をメモ等に記載し、再度観察および撮像を行う際、記載した観察条件に基づき顕微鏡を設定していた。
【０００３】
近年、電動顕微鏡において、撮像した画像データのヘッダ領域に撮像条件および観察条件を記憶させ、画像データを表示する際に、画像データとともに撮像条件および観察条件を表示し、表示された撮像条件および観察条件を再現する顕微鏡システムが提案されている（例えば、特許文献１参照）。
【先行技術文献】
【特許文献】
【０００４】
【特許文献１】特開２００２−２６７９４３号公報
【発明の概要】
【発明が解決しようとする課題】
【０００５】
しかしながら、特許文献１に記載の技術は、各種部位が電動である高級機種の電動顕微鏡にしか適用することができなかった。このため、半導体検査等のルーチンワーク用に主として使用される、一部に手動の部位を有する中級機種の顕微鏡には適用することはできず、観察条件の設定に時間を要し、作業効率が悪いという問題があった。
【０００６】
本発明は、上記に鑑みてなされたものであって、手動部位を有する顕微鏡において、観察者が観察条件の設定を容易に行うことが可能な顕微鏡システムを提供することを目的とする。
【課題を解決するための手段】
【０００７】
上述した課題を解決し、目的を達成するために、本発明に係る顕微鏡システムは、少なくとも１つの手動部位を有し、標本の像を結像させる光学系を備える顕微鏡と、前記標本の像を撮像し、画像データとして記憶する撮像装置と、を備えた顕微鏡システムにおいて、前記顕微鏡は、前記顕微鏡で使用可能なユニットおよび該ユニットが有する部位のタイプを含む情報を記憶する記憶部と、前記顕微鏡で使用される前記ユニット、および前記撮像装置で撮像された画像データの観察情報を入力する入力部と、前記撮像装置が撮像した画像データを表示する表示部と、前記入力部により使用する前記ユニットが入力された場合、電動部位またはセンサ機構を有するコード部位の位置情報を読み出して前記表示部に表示させるとともに、前記手動部位の位置情報を入力可能な入力画面を前記表示部に表示させる制御部と、を備え、前記入力部により入力された前記画像データの観察情報は、前記画像データおよび／または前記撮像装置の撮像情報とともに記憶されることを特徴とする。
【０００８】
また、本発明に係る顕微鏡システムは、上記発明において、前記制御部は、記憶された前記画像データの観察情報を、前記画像データおよび／または前記撮像装置の撮像情報とともに前記表示部に表示させ、前記表示部に表示された観察情報を再現する指示入力を受け付けた場合、前記コード部位の情報を読み出し、前記表示部に表示された観察条件と現在の前記顕微鏡の観察条件とを対比することを特徴とする。
【０００９】
また、本発明に係る顕微鏡システムは、上記発明において、前記記憶部は、観察方法に対応した部位の位置を記憶することを特徴とする。
【発明の効果】
【００１０】
本発明に係る顕微鏡システムによれば、手動部位を有する顕微鏡においても、観察者による観察条件の設定が容易となり、作業効率が向上するという効果を奏する。
【図面の簡単な説明】
【００１１】
【図１】図１は、本発明の実施の形態１に係る顕微鏡システムの概略構成を示す図である。
【図２】図２は、図１の顕微鏡システムの表示部に表示される画像データ表示画面の一例を示す図である。
【図３】図３は、図１の顕微鏡システムの記憶媒体に記憶される画像ファイルの構成を示す図である。
【図４】図４は、図１の顕微鏡システムの表示部に表示される構成ユニット選択画面の一例を示す図である。
【図５】図５は、図１の顕微鏡システムの記憶部に記憶されるユニット−部位テーブルの一例を示す図である。
【図６】図６は、図１の顕微鏡システムの表示部に表示される各種部位の部位位置選択画面の一例を示す図である。
【図７Ａ】図７Ａは、図１の顕微鏡システムに設けられる手動部位のスライド式位置設定部の一例を示す図である。
【図７Ｂ】図７Ｂは、図１の顕微鏡システムに設けられる手動部位の回転式位置設定部の一例を示す図である。
【図７Ｃ】図７Ｃは、図１の顕微鏡システムにスライド式位置設定部を配置した一例を示す図である。
【図８Ａ】図８Ａは、図１の顕微鏡システムの表示部に表示される部位位置再現画面の一例を示す図である。
【図８Ｂ】図８Ｂは、図１の顕微鏡システムの表示部に表示される部位位置再現画面の他の例を示す図である。
【図９】図９は、図１の顕微鏡システムの表示部に表示される表示選択画面の一例を示す図である。
【図１０】図１０は、実施の形態１の変形例１に係る顕微鏡システムの表示部に表示される各種部位の部位位置選択画面の一例を示す図である。
【図１１】図１１は、実施の形態１の変形例２に係る顕微鏡システムの表示部に表示される各種部位の部位位置選択画面の一例を示す図である。
【図１２】図１２は、実施の形態２に係る顕微鏡システムの記憶部に記憶される観察方法−部位テーブルの一例を示す図である。
【図１３】図１３は、実施の形態２に係る顕微鏡システムの表示部に表示される各種部位の部位位置選択画面の一例を示す図である。
【図１４】図１４は、実施の形態２に係る顕微鏡システムの表示部に表示される部位位置再現画面の一例を示す図である。
【図１５】図１５は、本発明の実施の形態３に係る顕微鏡システムの記憶部に記憶されるユニット−部位テーブルの一例を示す図である。
【図１６】図１６は、実施の形態３に係る顕微鏡システムの表示部に表示される各種部位の部位位置選択画面の一例を示す図である。
【発明を実施するための形態】
【００１２】
以下、図面を参照して、本発明を実施するための形態（以下、「実施の形態」という）について説明する。なお、以下に説明する実施の形態によって、本発明が限定されるものではない。また、以下の説明において参照する各図は、本発明の内容を理解でき得る程度に形状、大きさ、および位置関係を概略的に示してあるに過ぎない。即ち、本発明は、各図で例示された形状、大きさ、および位置関係のみに限定されるものではない。
【００１３】
（実施の形態１）
図１は、本発明の実施の形態１にかかる顕微鏡装置の概略構成を示す図である。顕微鏡装システム１００は、顕微鏡１と、撮像装置１０と、顕微鏡システム１００の駆動を制御する顕微鏡制御部２０と、撮像装置１０が生成した画像データに対応する画像を表示する表示部３０と、顕微鏡システム１００の各種の操作の入力を受け付ける入力部４０と、を備える。
【００１４】
顕微鏡１は、標本２を載置するステージ３と、ステージ３に対向して配置された対物レンズ４と、標本２に照明光を照射する落射照明部５と、標本２から反射した光を観察する接眼レンズ９と、を備える。
【００１５】
顕微鏡１は、側面視略Ｃ字状をなし、ステージ３を支持するとともに、レボルバ１１を介して対物レンズ４を保持する顕微鏡フレーム１２を有している。
【００１６】
ステージ３は、ｘｙｚ方向に移動自在に構成され、図示しないステージ操作部の操作に応じて移動する。なお、ステージ３は、モータ等の駆動部を設け、顕微鏡制御部２０の制御のもと、ｘｙｚ方向に移動可能な電動ステージを用いて構成してもよい。
【００１７】
レボルバ１１は、顕微鏡フレーム１２に対してスライド自在または回転自在に設けられ、対物レンズ４を標本２の上方に配置する。レボルバ１１は、倍率（観察倍率）が異なる複数の対物レンズ４を保持する。
【００１８】
対物レンズ４は、レボルバ１１に装着される。顕微鏡フレーム１２に設けられる焦準ハンドル１３の操作により、ステージ３が光路方向に移動され焦準が調整される。
【００１９】
落射照明部５は、照明光を照射する落射光源６ａを有するランプハウス６と、落射光源６ａが発した照明光を集光してキューブターレット８内のミラー８ａへ出射する投光管７と、を有する。投光管７には、少なくとも落射光源６ａが発した照明光を集光する集光レンズ７ａ、落射開口絞り７ｂ、落射視野絞り７ｃ、および図示しないフィルタ等が設けられている。落射光源６ａが発した照明光は、集光レンズ７ａ、落射開口絞り７ｂ、落射視野絞り７ｃ、ミラー８ａおよび対物レンズ４を介して標本２に照射され、標本２からの反射光は、対物レンズ４、ミラー８ａ、三眼鏡筒１４内の結像レンズ１５、ならびに図示しない分割プリズムおよびミラーにより接眼レンズ９または撮像装置１０に導入されて、目視観察等が行われる。なお、キューブターレット８は、ミラー８ａ以外に暗視野リング照明等の光学素子を内蔵し、キューブ位置センサ８ｂにより光軸上に配置される光学素子の検出が可能である。
【００２０】
顕微鏡制御部２０は、顕微鏡システム１００の駆動を制御する。顕微鏡制御部２０は、入力部４０を介して入力された指示に応じて、顕微鏡１を構成する各種部位の内、電動部位の位置を所定位置に駆動制御する。また、顕微鏡制御部２０は、顕微鏡１で使用可能なユニットおよび前記ユニットが有する部位のタイプおよび選択可能な位置情報に関するテーブルを記憶する記憶部２１を備える。さらに顕微鏡制御部２０は、撮像装置１０が撮像した画像データや、顕微鏡１を構成する構成ユニットの選択画面、部位の位置を選択する選択画面等の表示部３０への表示を制御する。
【００２１】
図２は、図１の顕微鏡システム１００の表示部３０に表示される画像データ表示画面の一例である。画像データ表示画面３００は、撮像装置１０が撮像した撮像データを表示する画像表示部３１と、画像表示部３１に表示される画像の撮像条件および観察条件を表示する情報表示部３２と、顕微鏡１を構成するユニットを選択する構成ユニット選択画面を表示する構成ユニット選択ボタン３３と、顕微鏡１の各種部位の位置を選択する部位位置選択画面を表示する撮像ボタン３４と、構成ユニット選択画面の表示ユニットを選択する表示選択ボタン３５と、情報表示部３２に表示される撮像条件および観察条件を再現する再現ボタン３６と、表示する画像を選択する画像選択ボタン３７と、を有する。
【００２２】
撮像装置１０の図示しない記憶媒体に保存される画像ファイルの中から、画像選択ボタン３７により表示する画像データが選択され、選択された画像データに対応する画像が画像表示部３１に表示される。図３に示す画像ファイル６０において、画像データ６１のヘッダエリアに記憶された撮像装置撮像情報６２および顕微鏡観察情報６３の全体または一部が、情報表示部３２に表示される。
【００２３】
図２の情報表示部３２に表示される顕微鏡観察情報６３は、画像表示部３１に表示されている画像の観察条件、たとえば、観察に用いた部位である対物レンズ、キューブターレット、落射開口絞り等の位置情報である。たとえば、情報表示部３２に表示される対物レンズの１：５Ｘは、レボルバの「１」の位置に配置された対物レンズ（５Ｘ）を使用したことを意味する。情報表示部３２に表示される顕微鏡１の観察条件は、構成ユニット選択画面、ユニット−部位テーブル、および部位位置選択画面により設定される。図４は、図１の顕微鏡システム１００の表示部３０に表示される構成ユニット選択画面の一例を示す図である。図５は、図１の顕微鏡システム１００の記憶部２１に記憶されるユニット−部位テーブルの一例を示す図である。図６は、図１の顕微鏡システム１００の表示部３０に表示される各種部位の部位位置選択画面の一例である。
【００２４】
顕微鏡１での観察および撮像装置１０による撮像に先立ち、構成ユニット選択ボタン３３を押下し、構成ユニット選択画面３３０を介して顕微鏡１の構成ユニットの選択を行う。構成ユニット選択画面３３０は、ユニット選択部３３１と、選択肢表示部３３２と、ＯＫボタン３３３と、キャンセルボタン３３４と、を表示する。構成ユニット選択画面３３０の左欄に表示される投光管、レボルバ、ＤＩＣ等は、顕微鏡１を構成するユニットである。観察者は、ユニット選択部３３１をポインタ３３５で押下することにより、観察に使用するユニットを選択入力する。構成ユニット選択画面３３０では、投光管の選択肢表示部３３２が表示されているが、選択肢表示部３３２に表示されるユニット（投光管）の選択肢は、ユニット−部位テーブル５０として記憶部２１に記憶されたものが表示される。例えば、レボルバのユニット選択部３３１を押下した際の選択肢表示部３３２に表示される選択肢は、図５のユニット−部位テーブル５０に記憶されるレボルバの種類の「電動５穴」、「コード６穴」、「コード５穴」、および「使用しない」となる。顕微鏡１を構成するユニットの選択が終了すると、ＯＫボタン３３３の押下により選択されたユニット情報を受け付ける。選択をキャンセルする場合はキャンセルボタン３３４が押下される。なお、図５のユニット−部位テーブル５０で示すユニット、ユニットに含まれる部位、部位のタイプ、部位の位置はあくまで例示であり、たとえば、手動のレボルバや、電動のアナライザやポラライザ等を適用することもできる。
【００２５】
その後、撮像ボタン３４の押下により所定の観察条件および撮像条件で撮像されると、部位の観察位置を選択する部位位置選択画面３４０を表示部３０に表示する。部位位置選択画面３４０は、部位位置選択部３４１と、選択肢表示部３４２と、ＯＫボタン３４３と、キャンセルボタン３４４と、を表示する。部位位置選択画面３４０の左欄に表示される対物レンズ、キューブ、落射開口絞り等の部位は、構成ユニット選択画面３３０で選択されたユニットが保持する部位である。顕微鏡制御部２０は、構成ユニット選択画面３３０によるユニットの選択入力を受け付けると、選択されたユニットが有する部位のうち、電動部位およびセンサ機構を有するコード部位の位置情報を取得して、部位位置選択画面３４０に表示する。
【００２６】
例えば、図４に示す構成ユニット選択画面３３０のようにユニットが選択された場合、電動部位およびコード部位は、電動６穴のレボルバが有する対物レンズ（電動）、コード４穴の投光管が有するキューブ（コード）、ＬＥＤ落射光源の落射照明（電動）およびＬＥＤ透過光源の透過照明（電動）である。顕微鏡制御部２０は、上記した電動部位およびコード部位の位置情報を取得し、部位位置選択画面３４０に表示する。一方、手動部位、たとえば、コード４穴の投光管が有する落射開口絞りおよび落射視野絞り等は、部位位置選択部３４１をポインタ３４５で押下することにより、選択肢表示部３４２を表示して、部位の位置を選択入力すればよい。図６の部位位置選択画面３４０では、選択肢表示部３４２に落射開口絞りの選択肢が表示されているが、選択肢表示部３４２に表示される各手動部位の位置の選択肢は、ユニット−部位テーブル５０中に部位の位置として記憶されたものが表示される。たとえば、コード４穴の投光管が有する落射視野絞りの位置の選択肢は、１−５であり、手動ＤＩＣのＤＩＣプリズムの位置の選択肢は、０−１００００、ＩＮ、ＯＵＴである。
【００２７】
観察者は、顕微鏡１の手動部位の位置を確認し、選択肢表示部３４２に表示される部位の位置の選択肢から確認した位置を選択し入力する。手動部位の位置は、図７Ａまたは図７Ｂに示す位置設定部により確認できる。図７Ａは、図１の顕微鏡システム１００に設けられる各種手動部位のスライド式位置設定部の一例である。図７Ｂは、図１の顕微鏡システム１００に設けられる各種手動部位の回転式位置設定部の一例である。図７Ｃは、図１の顕微鏡システム１００にスライド式位置設定部を配置した一例である。図７Ｃでは、顕微鏡１の投光管７の一部のみを示している。
【００２８】
図７Ａに示すスライド式位置設定部１６は、目盛り１６１と、スライド式操作部１６２と、を備える。スライド式位置設定部１６では、部位の位置に対応する目盛り１６１にスライド式操作部１６２をスライドさせて位置を設定する。図７Ａでは、部位の位置は「２」に設定されている。
【００２９】
図７Ｂに示す回転式位置設定部１７は、回転式操作部１７１と、位置合わせ部１７２と、を備える。回転式操作部１７１は位置目盛り１７３を有し、回転式操作部１７１を回転させて、位置合わせ部１７２に位置目盛り１７３を合わせて、部位の位置を設定する。図７Ｂでは、部位の位置は「０」に設定されている。
【００３０】
図１および図７Ｃに示すように、手動部位である落射開口絞り７ｂ、落射視野絞り７ｃの近傍には、スライド式の位置設定部１６ｂ、１６ｃが配置され、キューブターレット８の近傍には、位置設定部１８が配置されている。観察者は、位置設定部１６ｂ、１６ｃおよび１８により、落射開口絞り７ｂ、落射視野絞り７ｃおよびキューブターレット８の位置を確認して、部位位置選択部３４１、選択肢表示部３４２により、部位の現在位置を選択入力する。手動部位の位置の入力が終了すると、ＯＫボタン３４３の押下により選択された部位の位置情報を受け付け、画像ファイル６０のヘッダエリアに顕微鏡観察情報６３として記憶する。入力をキャンセルする場合はキャンセルボタン３４４が押下される。なお、顕微鏡観察情報６３は、画像データ６１および撮像装置撮像情報６２とともに画像ファイル６０として記憶されるほか、撮像装置撮像情報６２とともに観察条件ファイルとして記憶部２１等に記憶してもよい。
【００３１】
一方、画像データ表示画面３００の情報表示部３２に表示された条件で、観察および撮像を行う場合、観察者は再現ボタン３６を押下する。再現ボタン３６の押下による観察および撮像条件の再現の指示を受け付けると、部位位置再現画面を表示部３０に表示する。図８Ａは、図１の顕微鏡システム１００の表示部３０に表示される部位位置再現画面の一例である。
【００３２】
部位位置再現画面３６０は、部位位置表示部３６１と、結果表示部３６２と、ＯＫボタン３６３と、キャンセルボタン３６４と、を表示する。部位位置表示部３６１は、情報表示部３２に表示された顕微鏡１の観察条件である部位の位置情報を表示する。顕微鏡制御部２０は、コード部位、たとえば、対物レンズ４やターレットキューブ８の現在の位置情報を取得し、部位位置表示部３６１に表示される位置情報と比較し、結果表示部３６２に比較結果を表示する。部位位置表示部３６１の位置表示と、現在の位置とが一致する場合は、結果表示部３６２に「ＯＫ」等と表示し、一致しない場合は「ＮＧ」等と表示する。たとえば、ターレットキューブ８が「ＮＧ」の場合、位置設定部１８によりターレットキューブ８の現在の位置を部位位置表示部３６１で表示される位置に設定すればよい。なお、一致しない場合は、「ＮＧ」等の表示に替えて、警告音を発してもよく、一致しない部位について、色付け等により明示してもよい。また、情報表示部３２に表示された観察条件と、顕微鏡１の装置構成が異なる場合は、図８Ｂの部位位置再現画面３６０Ａに示すように、「ＮＡ」等の表示や、色付け等により明示してもよい。
【００３３】
手動部位、たとえば落射視野絞り７ｃや落射開口絞り７ｂ等の位置の設定は、位置設定部１６ｂ、１６ｃの各スライド式操作部１６２を、部位位置表示部３６１に表示された位置に対応する目盛り１６１にそれぞれ観察者が一致させることにより行う。
【００３４】
コード部位、および手動部位の位置設定を終了するＯＫボタン３６３の押下による入力を受け付けると、顕微鏡制御部２０は、電動部位の位置が部位位置表示部３６１に表示される位置になるよう駆動制御する。以上のようにして、部位位置再現画面３６０により、顕微鏡１の各部位の位置を再現したい観察条件に設定することができる。
【００３５】
なお、部位位置選択画面３４０は、構成ユニット選択画面３３０で選択されたユニットが有する部位のすべてを表示するが、表示選択ボタン３５により部位位置選択画面３４０で表示する部位を選択することができる。図９は、図１の顕微鏡システム１００の表示部３０に表示される表示選択画面の一例である。
【００３６】
表示選択画面３５０は、部位選択部３５１を表示し、ポインタ３５５により各部位の部位選択部３５１を選択、または不選択することにより、部位位置選択画面３４０で選択した部位を表示、または不選択の部位を非表示とする。
【００３７】
実施の形態１に係る顕微鏡システム１００では、手動部位を有する構成で観察する場合であっても、構成ユニット選択画面３３０、部位位置選択画面３４０を介して、観察情報を画像ファイルとして記憶可能であるとともに、部位位置再現画面３６０を介して容易に観察条件を設定することができる。
【００３８】
なお、部位の位置入力をさらに容易に行うために、部位位置選択画面に部位記号表示部を表示してもよい。図１０は、実施の形態１の変形例１に係る顕微鏡システムの表示部に表示される各種部位の位置選択画面の一例である。
【００３９】
実施の形態１の変形例１において、部位位置選択画面３４０Ｂには、部位記号表示部３４６が表示される。部位記号表示部３４６には、各部位の位置設定部の近傍に配置される部位を特定する記号（部位記号）が表示される。実施の形態１の変形例１において、図７Ｃに示すように、各部位の位置設定部の近傍に部位記号が付されており、各部位の部位記号と、部位記号表示部３４６に表示する部位記号とを対比しながら、各部位の位置の設定または位置の確認を行うことができる。
【００４０】
また、部位の位置入力をさらに容易に行うために、部位位置選択画面にイラスト表示部を表示してもよい。図１１は、実施の形態１の変形例２に係る顕微鏡システムの表示部に表示される各種部位の部位位置選択画面の一例である。
【００４１】
実施の形態１の変形例２において、部位位置選択画面３４０Ｃには、イラスト表示部３４８が表示される。イラスト表示部３４８には各部位の位置設定部のイラストが表示され、ポインタ３４５により部位が指定されると、イラスト表示部３４８は指定された部位の位置設定部を明示する。図１１のイラスト表示部３４８では、指定された部位（位置設定部）を線で囲い込むことにより明示しているが、指定された部位（位置設定部）のみイラストで表示してもよい。これにより、イラスト表示部３４８で明示する部位（位置設定部）で顕微鏡の部位（位置設定部）を確認して、速やかに各部位の位置の設定または位置の確認を行うことができる。
【００４２】
あるいは、顕微鏡の各部位の配置箇所にＬＥＤ等のインジケータを設けてもよい。ポインタ３４５により部位が指定されると、指定された部位のインジケータを点灯し、点灯されたインジケータにより指定された部位を確認して、各部位の位置の設定または位置の確認を行うこととしてもよい。
【００４３】
（実施の形態２）
実施の形態２に係る顕微鏡システムは、観察方法と部位の位置を関連付けたテーブルを記憶部が記憶している。図１２は、実施の形態２に係る顕微鏡システムの記憶部に記憶される観察方法−部位テーブルの一例を示す図である。
【００４４】
図１２に示すように、観察方法−部位テーブル５０Ｄは、表示する部位を記憶するとともに、表示する部位のうち観察方法に関連して決定される部位の位置を記憶する。たとえば、ターレットキューブの各穴位置に配置するキューブを予め決定することにより、観察方法を選択すれば、ターレットキューブの位置が決定できる。また、観察方法−部位テーブル５０Ｄは、観察方法に対応して位置が決定できる部位や、適用されない部位について、観察方法に関連付けて記憶する。例えば、観察方法が「ＢＦ」である場合、ＢＦ用キューブは「１」の穴位置に配置され、ＤＩＣプリズム、アナライザおよびポラライザは「ＯＵＴ」の位置、透過照明、透過開口絞り（ＡＳ）、および透過視野絞り（ＦＳ）は適用されない（「ＮＡ」）ため、観察者は、対物レンズ、落射開口絞り（ＡＳ）、落射視野絞り（ＦＳ）、および落射照明の位置のみを任意の位置として選択入力すればよい。
【００４５】
図１３は、実施の形態２に係る顕微鏡システムの表示部に表示される各種部位の部位位置選択画面の一例である。実施の形態２の部位位置選択画面３４０Ｄは、観察方法を選択する観察方法選択部３４７を表示する。観察者は、観察方法選択部３４６をポインタ３４５で押下して選択肢表示部３４２を表示し、表示された選択肢の中から観察方法を選択する。選択肢表示部３４２に表示される観察方法の選択肢は、観察方法−部位テーブル５０Ｄに記憶されたものが表示される。
【００４６】
観察方法が入力されると、観察方法に関連付けて記憶された部位位置を部位位置選択画面３４０Ｄに表示する。図１３では、観察方法として「ＢＦ」が選択入力されているため、「ＢＦ」に対応する部位のうち、位置が決定されている部位を位置とともに表示する。図１３に示すように、「ＢＦ」に関連付けて位置が決定される部位は、キューブ（１）、ＤＩＣプリズム（ＯＵＴ）、アナライザ（ＯＵＴ）、ポラライザ（ＯＵＴ）、透過照明（ＮＡ）、透過開口絞り（ＮＡ）、および透過視野絞り（ＮＡ）である。
【００４７】
残りの部位の内、電動部位およびコード部位の位置（図１３においては、対物レンズ、落射照明）については位置情報を入手して表示する。手動部位の位置については、部位位置選択部３４１および選択肢表示部３４２のポインタ３４５の押下による選択入力により位置を選択する。手動部位の位置の入力が終了すると、ＯＫボタン３４３の押下により部位の位置情報を受け付け、画像ファイル６０のヘッダエリアに顕微鏡観察情報６３として記憶させる。入力をキャンセルする場合はキャンセルボタン３４４が押下される。
【００４８】
また、再現ボタン３６の押下による観察および撮像条件の再現の指示を受け付けると、部位位置再現画面を表示部３０に表示する。図１４は、実施の形態２の顕微鏡システムの表示部に表示される部位位置再現画面の一例である。
【００４９】
部位位置再現画面３６０Ｄには、観察方法を含む部位位置表示部３６１Ｄが表示される。部位位置表示部３６１Ｄに表示される顕微鏡観察情報は、画像ファイル６０のヘッダエリアに記憶される顕微鏡観察情報６３であり、適用されない部位（ＮＡ）、例えば、図１４に示す、透過照明、透過開口絞り、および透過視野絞りは、グレーアウト表示とする。顕微鏡制御部２０は、コード部位の位置情報を入手し、部位位置表示部３６１Ｄに表示されるコード部位の位置表示と比較し、結果表示部３６２に比較結果を表示する。部位位置表示部３６１Ｄの位置表示と、現在の位置とが一致する場合は、結果表示部３６２に「ＯＫ」等と表示する。一致しない場合は「ＮＧ」等と表示する。
【００５０】
手動部位、および必要な場合（ＮＧの場合）はコード部位の位置設定を終了するＯＫボタン３６３の押下による入力を受け付けると、顕微鏡制御部２０は、電動部位の位置を部位位置表示部３６１Ｄの位置となるよう駆動制御することにより、顕微鏡の各部位を、部位位置再現画面３６０Ｄに表示された部位位置に設定することができる。
【００５１】
実施の形態２では、観察方法により決定される部位、または観察方法に適用されない部位についての、選択入力、または再現設定の労力を削減できるので、より迅速に観察および撮像をおこなうことができる。なお、観察方法−部位テーブル５０Ｄには、観察方法として、「ＢＦ」、「ＤＦ」、「ＤＩＣ」、「ＤＩＡ」を記憶するが、これに限定するものではなく、「ＢＦ」と「ＤＦ」とを同時に照射して観察するミックス観察にも適用することができる。
【００５２】
（実施の形態３）
実施の形態３に係る顕微鏡システムは、ユニット−部位テーブルに、顕微鏡の観察状態の結果が含まれている。図１５は、実施の形態３に係る顕微鏡システムの記憶部に記憶されるユニット−部位テーブルの一例を示す図である。
【００５３】
ユニット−部位テーブル５０Ｅには、顕微鏡で使用可能なユニットおよびユニットが有する部位のタイプ、ならびに部位が選択可能な位置情報に加え、顕微鏡の観察状態の結果等が含まれる。
【００５４】
図１５のユニット−部位テーブル５０Ｅにおいて、手動部位のアナライザの位置として、選択可能な位置である「ＩＮ」、「ＯＵＴ」に加え、偏光観察の観察状態の結果である「直行ニコル」、「平行ニコル」が追加されている。また、手動部位のＤＩＣプリズムにおいても、「ＩＮ」、「ＯＵＴ」に加え、ＤＩＣプリズムを移動させて観察した場合の色彩である「赤」、「青」、「紫」、「黄」、「黒」の鋭敏色の選択肢を有する。
【００５５】
図１６は、実施の形態３に係る顕微鏡システムの表示部に表示される各種部位の部位位置選択画面の一例である。実施の形態３の位置選択画面３４０Ｅでは、図１６に示すように、ＤＩＣプリズムの選択肢表示部３４２には、「ＩＮ」、「ＯＵＴ」に加え、「赤」、「青」、「紫」、「黄」、「黒」も表示され、鋭敏色の選択が可能となる。
【００５６】
部位位置選択画面３４０Ｅで、顕微鏡の観察状態の結果、例えば、「黄」が選択され、顕微鏡観察情報６３として記憶され、鋭敏色等を含む顕微鏡観察情報が部位位置再現画面で再現される場合は、ＤＩＣプリズムを移動させて該当する鋭敏色となるように設定を行えばよい。
【００５７】
実施の形態３では、偏光観察の際の、アナライザ操作や、ＤＩＣプリズムのように非常に感度がよく、微調整が必要な光学素子を用いた観察においても、比較的容易に観察条件の再現を行うことができる。
【符号の説明】
【００５８】
１  顕微鏡
２  標本
３  ステージ
４  対物レンズ
５  落射照明部
６  ランプハウス
６ａ  落射光源
７  投光管
７ａ  集光レンズ
７ｂ  落射開口絞り
７ｃ  落射視野絞り
８  キューブターレット
８ａ  ミラー
８ｂ  キューブ位置センサ
９  接眼レンズ
１０  撮像装置
１１  レボルバ
１２  顕微鏡フレーム
１３  焦準ハンドル
１４  三眼鏡筒
１５  結像レンズ
１６  スライド式位置設定部
１７  回転式位置設定部
２０  顕微鏡制御部
２１  記憶部
３０  表示部
３１  画像表示部
３２  情報表示部
３３  構成ユニット選択ボタン
３４  撮像ボタン
３５  表示選択ボタン
３６  再現ボタン
３７  画像選択ボタン
４０  入力部
５０、５０Ｅ  ユニット−部位テーブル
５０Ｄ  観察方法−部位テーブル
６０  画像ファイル
６１  画像データ
６２  顕微鏡観察情報
６３  撮像装置撮像情報
１００  顕微鏡システム
３００  画像データ表示画面
３３０  構成ユニット選択画面
３４０、３４０Ｂ、３４０Ｃ、３４０Ｄ、３４０Ｅ  部位位置選択画面
３５０  表示選択画面
３６０、３６０Ａ、３６０Ｄ  部位位置再現画面
【図１】
0006389786.tif 000002
【図２】
0006389786.tif 000003
【図３】
0006389786.tif 000004
【図４】
0006389786.tif 000005
【図５】
0006389786.tif 000006
【図６】
0006389786.tif 000007
【図７Ａ】
0006389786.tif 000008
【図７Ｂ】
0006389786.tif 000009
【図７Ｃ】
0006389786.tif 000010
【図８Ａ】
0006389786.tif 000011
【図８Ｂ】
0006389786.tif 000012
【図９】
0006389786.tif 000013
【図１０】
0006389786.tif 000014
【図１１】
0006389786.tif 000015
【図１２】
0006389786.tif 000016
【図１３】
0006389786.tif 000017
【図１４】
0006389786.tif 000018
【図１５】
0006389786.tif 000019
【図１６】
0006389786.tif 000020